(57)【特許請求の範囲】
【請求項１】
貯蔵物が貯蔵される貯蔵室と、
当該貯蔵室に収容され、かつ、正面側に引き出し可能で、前記貯蔵物が収納される収納容器と、
前記収納容器を前記貯蔵室から引き出し、及び、前記収納容器を前記貯蔵室に収容する収納容器引出収容機構と、
正面側と背面側との方向に延在して前記収納容器の外表面に取り付けられた枠部材と、を備える冷蔵庫において、
前記収納容器引出収容機構は、
前記貯蔵室の内壁面に設けられた貯蔵室レールと、
正面側と背面側との方向に延在するとともに前記枠部材に取り付けられたインナーメンバと、当該インナーメンバに対向して配置されるとともに前記インナーメンバを覆うように配置されたアウターメンバと、前記インナーメンバと前記アウターメンバとの双方に接触しながら回転することで前記インナーメンバと前記アウターメンバとを独立して移動可能にするボールと、を備えて構成されているスライドレールと、
前記アウターメンバに取り付けられ、前記貯蔵室レールに沿って正面側と背面側との方向に移動可能な回転体と、
を備えて構成され、
前記貯蔵室の壁面には、前記枠部材の下端面と接触しながら回転することで前記枠部材及び前記収納容器を正面側と背面側との方向に移動可能な箱ベアリングが備えられ、
前記スライドレールの鉛直方向の寸法は、前記貯蔵室レールの溝の鉛直方向の寸法以上になっていることを特徴とする、冷蔵庫。
【請求項２】
貯蔵物が貯蔵される貯蔵室と、
当該貯蔵室に収容され、かつ、正面側に引き出し可能で、前記貯蔵物が収納される収納容器と、
前記収納容器を前記貯蔵室から引き出し、及び、前記収納容器を前記貯蔵室に収容する収納容器引出収容機構と、
正面側と背面側との方向に延在して前記収納容器の外表面に取り付けられた枠部材と、を備える冷蔵庫において、
前記収納容器引出収容機構は、
前記貯蔵室の内壁面に設けられた貯蔵室レールと、
正面側と背面側との方向に延在するとともに前記枠部材に取り付けられたインナーメンバと、当該インナーメンバに対向して配置されるとともに前記インナーメンバを覆うように配置されたアウターメンバと、前記インナーメンバと前記アウターメンバとの双方に接触しながら回転することで前記インナーメンバと前記アウターメンバとを独立して移動可能にするボールと、を備えて構成されているスライドレールと、
前記アウターメンバに取り付けられ、前記貯蔵室レールに沿って正面側と背面側との方向に移動可能な回転体と、
を備えて構成され、
前記貯蔵室の壁面には、前記枠部材の下端面と接触しながら回転することで前記枠部材及び前記収納容器を正面側と背面側との方向に移動可能な箱ベアリングが備えられ、
前記収納容器の正面側及び背面側への移動方向に垂直な方向への正面側からの断面視で、前記スライドレールと前記貯蔵室レールとが分離して配置されていることを特徴とする、冷蔵庫。
【請求項３】
前記収納容器の正面側及び背面側への移動方向に垂直な方向への正面側からの断面視で、前記インナーメンバの断面積は前記アウターメンバの断面積よりも小さいことを特徴とする、請求項１又は２に記載の冷蔵庫。
【請求項４】
前記収納容器を少なくとも正面側に移動させるための力を前記収納容器に付与する容器駆動機構を備え、
当該容器駆動機構が前記収納容器に正面側への力を付与することで前記収納容器の正面側への移動が開始され、当該開始後、惰性によって前記収納容器が正面側に引き出されることを特徴とする、請求項１又は２に記載の冷蔵庫。
【請求項５】
前記貯蔵室レールには、前記回転体の正面側への移動を制限する正面側移動制限部材が設けられていることを特徴とする、請求項１又は２に記載の冷蔵庫。
【請求項６】
前記貯蔵室レールには、前記回転体の背面側への移動を制限する背面側移動制限部材が設けられていることを特徴とする、請求項１又は２に記載の冷蔵庫。
【発明の詳細な説明】
【技術分野】
【０００１】
本発明は冷蔵庫に関する。
【背景技術】
【０００２】
冷蔵庫から引き出された収納容器に食品等を入れたり、又は、収納容器から食品等を取り出したりする際には、収納容器の出し入れのし易さの観点から、引き出される収納容器の開口は広く設けられることが好ましい。そこで、扉の引き出し量を大きくする技術として、特許文献１に記載の技術が知られている。
【０００３】
特許文献１には、貯蔵室を開閉する扉に保持される収納ケースが前記扉とともに引き出される冷蔵庫において、前記扉の左右の端部からそれぞれ後方に延びて前記収納ケースを支持するフレームと、前記フレームの後部に形成されるとともに前記貯蔵室の側壁に面して開口する前後に延びた案内溝と、前記案内溝内を前後にスライドするスライダと、前記スライダの後部に水平軸で軸支される移動ローラと、前記貯蔵室の側壁に前後に延びて突設されて前記移動ローラを案内する固定レールとを備えた冷蔵庫が記載されている。
【先行技術文献】
【特許文献】
【０００４】
【特許文献１】特開２００９−１４２６６公報
【発明の概要】
【発明が解決しようとする課題】
【０００５】
特許文献１において、収納ケース（収納容器）はフレームにより支持されている。そして、このフレームが、貯蔵室の内側面に設けられたレール内を摺動することで、収納ケースの引き出し及び収容がなされている。ここで、レール内を摺動する、フレームに取り付けられた部分（案内溝）の鉛直方向の高さ（寸法）は、当該レール（上レール及び下レール）の上下方向の高さ（寸法）よりも短くなっている。即ち、当該案内溝は、上レールと下レールとの間に配置されるようにして、フレームが配置されている。
【０００６】
しかし、フレームが接続される収納ケースには、重い食品等のほか、飲料等が収容されることもあり、収納ケースを支持するフレームには、極めて大きな荷重がかかることがある。このとき、特許文献１のような小さな（即ち上下方向に短い）フレームであると、断面二次モーメントが小さくなる。そのため、フレームに局所的に大きな力がかかったときに、フレームに接触するボール等との間で摩擦力が特に大きくなる。そのため、フレームが摺動しにくくなり、扉を引き出すときに大きな力が必要となって、操作性が低下する。
【０００７】
また、このことは、特にフレームが長くなったときに顕著である。即ち、フレームが長くなれば、収納ケースを引き出したときのフレームの重心位置は前方に移動する。そのため、収容ケースの重みによりフレームが下方向に回動することを防止するためにフレームを別の部位で支持することが好ましいが、冷蔵庫内での支持部位は自ずと制限される。また、冷蔵庫の奥行き（正面側と背面側との方向の長さ）によってフレームの長さも自ずと制限される。従って、フレームの回動防止の観点からは、特許文献１に記載の発明では、収納ケースの引き出し量に依然として課題がある。
【０００８】
本発明はこれらの課題に鑑みて為されたものであり、本発明が解決しようとする課題は、従来よりもさらに正面側に引き出し可能にすることで、より大きな取り出し口を確保した冷蔵庫を提供することにある。
【課題を解決するための手段】
【０００９】
本発明者らは前記の課題を解決するべく鋭意検討を行った。その結果、以下の知見により前記の課題を解決できることを見出した。即ち、本発明の要旨は、貯蔵物が貯蔵される貯蔵室と、当該貯蔵室に収容され、かつ、正面側に引き出し可能で、前記貯蔵物が収納される収納容器と、前記収納容器を前記貯蔵室から引き出し、及び、前記収納容器を前記貯蔵室に収容する収納容器引出収容機構と、正面側と背面側との方向に延在して前記収納容器の外表面に取り付けられた枠部材と、を備える冷蔵庫において、前記収納容器引出収容機構は、前記貯蔵室の内壁面に設けられた貯蔵室レールと、正面側と背面側との方向に延在するとともに前記枠部材に取り付けられたインナーメンバと、当該インナーメンバに対向して配置されるとともに前記インナーメンバを覆うように配置されたアウターメンバと、前記インナーメンバと前記アウターメンバとの双方に接触しながら回転することで前記インナーメンバと前記アウターメンバとを独立して移動可能にするボールと、を備えて構成されているスライドレールと、前記アウターメンバに取り付けられ、前記貯蔵室レールに沿って正面側と背面側との方向に移動可能な回転体と、を備えて構成され、前記貯蔵室の壁面には、前記枠部材の下端面と接触しながら回転することで前記枠部材及び前記収納容器を正面側と背面側との方向に移動可能な箱ベアリングが備えられ、前記スライドレールの鉛直方向の寸法は、前記貯蔵室レールの溝の鉛直方向の寸法以上になっていることを特徴とする、冷蔵庫に関する。
なお、他の解決手段は、後記する発明を実施するための形態において明らかにされる。
【発明の効果】
【００１０】
本発明によれば、従来よりもさらに手前側に引き出し可能にすることで、より大きな取り出し口を確保した冷蔵庫を提供することができる。
【図面の簡単な説明】
【００１１】
【図１】本実施形態の冷蔵庫の正面図である。
【図２】野菜室に下段容器が収容されているときの、下段容器及び上段容器の内部を示す斜視図である。
【図３】下段容器を支持するフレームの斜視図である。
【図４】図３に示すフレームが野菜室に収容されたときの様子を示す斜視図である。
【図５】図４のＡ−Ａ線断面図である。
【図６】内箱の内側面に取り付けられる箱側レールを表す図であり、（ａ）はその斜視図であり、（ｂ）は（ａ）のＢ−Ｂ線断面図であり、（ｃ）は（ａ）のＣ−Ｃ線断面図である。
【図７】下段容器を前後方向に移動させるためのスライドレールの構成を示す断面図である。
【図８】図４に示す状態において、下段容器を野菜室から引き出したときの様子を示す斜視図である。
【図９】図８のＤ−Ｄ線断面図である。
【発明を実施するための形態】
【００１２】
以下、図面を適宜参照しながら、本発明を実施するための形態（本実施形態）を説明する。なお、以下で適宜参照する図面では、図示の簡略化のために、特に断らないで、下段容器１０１の図示を省略することがある。
【００１３】
図１は、本実施形態の冷蔵庫１０の正面図である。図１に示す冷蔵庫１０は、冷蔵庫本体１の正面に、冷蔵室左扉２と、冷蔵室右扉３と、製氷室扉４ａと、急速冷凍室扉４ｂと、冷凍室扉５と、野菜室扉６とを備えている。冷蔵室左扉２は、上ヒンジ７ａ及び下ヒンジ８ａにより、紙面手前方向に回動可能になっている。さらに、冷蔵室右扉３は、上ヒンジ７ｂ及び下ヒンジ８ｂにより、紙面手前方向に回動可能になっている。即ち、冷蔵室左扉２及び冷蔵室右扉３は観音開き可能に備えられ、これらと冷蔵庫本体１とにより形成される空間に、冷蔵室（図示しない）が形成されている。
【００１４】
また、製氷室扉４ａ、急速冷凍室扉４ｂ及び冷凍室扉５は、紙面手前方向に引き出し可能になっている。そして、これらと冷蔵庫本体１とにより形成される空間に、製氷室、急速冷凍室及び冷凍室（いずれも図示しない）がそれぞれ形成されている。野菜室扉６も同様に、紙面手前方向に引き出し可能になっている。さらに、これと冷蔵庫本体１とにより構成される空間に、野菜室１００（野菜等の貯蔵物が貯蔵される貯蔵室、図４参照）が形成されている。
【００１５】
図２は、野菜室１００に下段容器１０１が収容されているときの、下段容器１０１及び上段容器１０２の内部を示す斜視図である。下段容器１０１には、野菜等が収納されるほか、ボトル飲料等が収納されることもある。野菜室１００では、冷蔵庫本体１（図１参照）の内箱１２４が野菜室１００の壁面（左壁、右壁及び底壁）を構成している。また、野菜室１００の上方に配置される野菜容器カバー（図示しない）が、野菜室１００の上壁を構成している。従って、野菜室１００では、下段容器１０１及び上段容器１０２のそれぞれの内部の密閉性がある程度確保されている。
【００１６】
野菜室１００では、下段容器１０１及び上段容器１０２が、正面側と背面側とに（以下、「前後方向に」ということがある）引出自在に収容されている。ただし、本実施形態では、下段容器１０１が前後方向に移動しても、上段容器１０２の下段容器１０１の内部での位置は変化しない。ただし、使用者がロックハンドル１０６を操作することで、上段容器１０２も正面側に引き出し可能になる。
【００１７】
野菜室１００の背面側には、圧縮機（図示せず）等を庫外に配置するための機械室（図示せず）が形成されている。また、背面側には、下段容器１０１及び上段容器１０２の内部を冷却するための冷気吹き出し口１４１が配置されている。そのため、底壁が正面側よりも背面側で高くなっている。また、下段容器１０１には、ガラス製の仕切り１０３が備えられている。これにより、下段容器１０１が二つの区画に分割されている。そして、上段容器１０２は、下段容器１０１の二つの区画のうちの背面側の空間を覆うように、配置されている。
【００１８】
図３は、下段容器１０１を支持するフレーム１６１の斜視図である。図３では図示しない下段容器１０１は、その左右両側面を挟むようにして、フレーム１６１に支持固定される。フレーム１６１の左右両側には、内部容器１０１を前後方向に移動させるためのスライドレール１７９がそれぞれ備えられている。スライドレール１７９は、図３では図示しない下段容器１０１の側面に固定された枠部材１８０に対して、固定されている。スライドレール１７９が野菜室１００の内部で前後方向に伸縮することで、下段容器１０１が引き出され、また、収容されるようになっている。このスライドレール１７９の構成の詳細については、図７等を参照しながら後記する。
【００１９】
左右に備えられたスライドレール１７９は、それぞれ、フレーム固定部１６９を介して、フレーム１６１に接続されている。さらに、スライドレール１７９の正面側には、野菜室扉６（図１参照）を固定するための扉固定部１６２が備えられている。この扉固定部１６２に取り付けられた野菜室扉６を使用者が正面側に引き出し、又は押し込むことによって、下段容器１０１が野菜室１００から引き出され、又は、野菜室１００に収容されるようになっている。
【００２０】
また、スライドレール１７９の背面側には、左右のスライドレール１７９を接続するように、接触部材１６７が備えられている。これにより、下段容器１０１が野菜室１００に収容されるとき、内箱１２４の側面に接触部材１７９が接触することで、滑らかに下段容器１０１が収容されるようになっている。
【００２１】
フレーム１６１の下方に形成された接続部１６８には、下段容器１０１の前後方向への移動をサポートするための容器駆動機構（図示しない）が接続されている。この容器駆動機構は電動式のものであり、使用者が開スイッチ（図示しない）を押下することで、下段容器１０１が正面側又は背面側に移動するために必要な力を、接続部１６８を介して下段容器１０１に与えるものである。
【００２２】
この容器駆動機構は、下段容器１０１等が移動中全ての区間で下段容器１０１に力を付与するのではなく、使用者が開スイッチを押下等した後一度のみ、下段容器１０１に正面側又は背面側に移動する力を付与するようになっている。即ち、スライドレール１７９によって下段容器１０１を完全に正面側に引き出し可能な程度の力が、一度のみ、下段容器１０１に与えられることになる。これにより、下段容器１０１が引き出されている途中で使用者が所望の位置で下段容器１０１を止めやすくなる。ただし、容器駆動機構による力の付与は、下段容器１０１が正面側に移動する際にのみ付与されるようにしてもよい。
【００２３】
図４は、図３に示すフレーム１６１が野菜室１００に収容されたときの様子を示す斜視図である。なお、図４では簡略化のために図示していないが、実際には、下段容器１０１がフレーム１６１に支持された状態で、フレーム１６１及び下段容器１０１が野菜室１００に収容される。また、スライドレール１７９（収納容器引出収容機構）は、内箱１２４の左右両側面に設けられた箱側レール１７８（収納容器引出収容機構、貯蔵室レール）に沿って移動可能になっている。スライドレール１７９が前後方向に移動することで、これにより、下段容器１０１の引き出し及び収容がされるようになっている。箱側レール１７８の詳細な構成については、図６を参照しながら後記する。
【００２４】
図５は、図４のＡ−Ａ線断面図である。スライドレール１７９を構成するアウターメンバ１８４（図７を参照しながら後記する）には、箱側レール１７８に形成された溝１８９内を回転しながら箱側レール１７８に沿って前後方向に移動可能な枠ベアリング１８１（収納容器引出収容機構、回転体）が取り付けられている。従って、枠ベアリング１８１が回転しながら前後方向に移動することで、アウターメンバ１８４（及びスライドレール１７９）が前後方向に移動するようになっている。
【００２５】
また、野菜室１００の正面側、具体的には、下段容器１０１が引き出されるときの引き出し口近傍には、枠部材１８０の下端面と接触しながら回転することで枠部材１８０を前後方向に移動させる箱ベアリング１８２が備えられている。この箱ベアリング１８２は、内箱１２４の側面に固定されており、下段容器１０１の移動に伴って枠部材１８０が移動することに伴って、回転するようになっている。ただし、枠部材１８０の背面側端部の下方には、突起１７６が設けられている。そのため、箱ベアリング１８２を回転させながら枠部材１８０が正面側に所定の位置まで移動すると、この突起１７６が箱ベアリング１８２に突き当たるため、枠部材１８０の移動が停止するようになっている。
【００２６】
図６は、内箱１２４の内側面に取り付けられる箱側レール１７８（貯蔵室レール）を表す図であり、（ａ）はその斜視図であり、（ｂ）は（ａ）のＢ−Ｂ線断面図であり、（ｃ）は（ａ）のＣ−Ｃ線断面図である。図６（ａ）に示すように、溝１８９の外側（図６（ａ）における右側の側部）には、枠ベアリング１８１が途中で外れることを防止するためのガイド壁１９０が形成されている。ただし、箱側レール１７８の成型に際して、その背面側端部１９１の近傍にはガイド壁１９０を形成することが難しい。そのため、ガイド壁１９０が無い部分から枠ベアリング１８１が外れてしまうことを防止するため、ガイド壁１９０が無い部分に枠ベアリング１８１が到達することを防止するためのリブ１８６（背面側移動制限部材）が形成されている。即ち、箱側レール１７８の背面側には、その内部を回転移動する枠ベアリング１８１の背面側への移動を制限するためのリブ１８６が形成されている。このリブ１８６は、枠ベアリング１８１のストッパとしての機能を有するものである。
【００２７】
さらに、溝１８９の正面側には、枠ベアリング１８１の正面側への移動を制限するためにストッパ部材１８３（正面側移動制限部材）が備えられている。ストッパ部材１８３が取り付けられている溝１８９の部分の内部の高さ（内寸）は、図６（ｂ）に示すように、短くなっている。従って、ストッパ部材１８３が取り付けられていない部分（図６（ｃ）参照）では回転移動可能な枠ベアリング１８１であっても、ストッパ部材１８３が取り付けられていることで、枠ベアリング１８１の正面側への移動が制限されることになる。そして、枠ベアリング１８１の移動が制限されることで、枠ベアリング１８１が取り付けられたアウターメンバ１８４の移動も制限されることになる。
【００２８】
図７は、下段容器１０１を前後方向に移動させるためのスライドレール１７９の構成を示す断面図である。図７において、紙面に対して手前側が冷蔵庫１０の正面側、紙面に対して奥側が冷蔵庫１０の背面側に相当する。アウターメンバ１８４の背面側に取り付けられた枠ベアリング１８１（図５も併せて参照）は、箱側レール１７８の溝１８９内を前後方向に回転しながら移動するようになっている。
【００２９】
一方で、この枠ベアリング１８１を備えるアウターメンバ１８４自身は、箱側レール１７８の溝１８９の外側に配置されて、枠ベアリング１８１とともに前後方向に移動するようになっている。即ち、アウターメンバ１８４を備えて構成されるスライドレール１７９は、箱側レール１７８の外側に配置されている。これを換言すれば、箱側レール１７８とスライドレール１７９とは、下段容器１０１の移動方向に垂直な方向への正面側からの断面視で分離して配置されている。即ち、箱側レール１７８とスライドレール１７９とが当該断面視で重ならないように左右方向にずらして、これらが配置されている。
【００３０】
また、前記のように、下段容器１０１の側面には枠部材１８０が固定されている。さらに、枠部材１８０の内壁面（下段容器１０１が固定されている側とは反対の側）には、リベット１８７により、インナーメンバ１８５が固定されている。即ち、インナーメンバ１８５は、枠部材１８０を介して、下段容器１０１の外側面に取り付けられている。そのため、枠部材１８０を介したインナーメンバ１８５の前後方向への移動に伴って、下段容器１０１も前後方向に移動するようになっている。
【００３１】
そして、インナーメンバ１８５と、インナーメンバ１８５を覆うようにインナーメンバ１８５に対向して配置されたアウターメンバ１８４との間には、ボール１８８が配置されている。このボール１８８は、インナーメンバ１８５とアウターメンバ１８４との双方に接触しながら回転することでインナーメンバ１８５とアウターメンバ１８４とを独立して移動可能にするものである。従って、スライドレール１７９は、インナーメンバ１８５とアウターメンバ１８４とボール１８８とを備えて構成されている。
【００３２】
スライドレール１７９がこのように独立して移動可能なインナーメンバ１８５とアウターメンバ１８４とを備えて構成されていることで、下段容器１０１の引き出し量がより多く確保される。即ち、詳細は後記するが、はじめにインナーメンバ１８５とアウターメンバ１８４とが一体となって正面側に移動した後、所定の位置より正面側ではインナーメンバ１８５のみが正面側に移動することで、下段容器１０１の引き出し量がより多く確保される。
【００３３】
なお、図７では図示していないが、枠部材１８０の下端面は、前記のように箱ベアリング１８２に接触している。従って、枠部材１８０が前後方向に移動する際には、枠部材１８０が箱ベアリング１８２に支持されつつ、箱ベアリング１８２を回転させながら枠部材１８０が前後方向に移動することになる。
【００３４】
また、図７に示すように、箱側レール１７８の溝１８９の寸法（上下方向の長さ、内寸）Ｌ１は、スライドレール１７９の寸法（上下方向の長さ、外寸）Ｌ２よりも短くなっている。即ち、冷蔵庫１０では、箱側レール１７８の溝１８９の寸法Ｌ１よりも大きな寸法Ｌ２を有するスライドレール１７９が使用されている。そのため、箱側レール１７８の溝１８９の寸法Ｌ１に関わらず、十分な寸法Ｌ２を有するスライドレール１７９が使用可能となる。そのため、スライドレール１７９の剛性を十分に確保し、スライドレール１７９に局所的な荷重がかかることが防止される。これにより、アウターメンバ１８４が停止後にインナーメンバ１８５を引き出す際、ボール１８８に局所的な荷重がかかることによる摩擦力の局所的な増加を防止でき、軽い力で下段容器１０１が引き出し可能になる。
【００３５】
さらに、スライドレール１７９を構成するインナーメンバ１８５及びアウターメンバ１８４のうち、インナーメンバ１８５が、リベット１８７により、枠部材１８０に固定されている。即ち、前記収納容器の正面側及び背面側への移動方向に垂直な方向への正面側からの断面視で、アウターメンバ１８４の断面積よりも小さな断面積を有するインナーメンバ１８５が、枠部材１８０を介して下段容器１０１に取り付けられている。これにより、インナーメンバ１８５及びそれに固定された枠部材１８０や下段容器１０１の断面二次モーメントが大きくなり、下段容器１０１の荷重がインナーメンバ１８５の全体に分散してかかることになる。そのため、局所的な大きな摩擦力の発生が抑制され、より小さな力で下段容器１０１が引き出し可能となる。
【００３６】
ここで、図５及び図７等を参照しながら、下段容器１０１が正面側に引き出されるときの各部材の作用について説明する。なお、いずれも図面においても、図示の簡略化のために下段容器１０１は図示していない。
【００３７】
下段容器１０１が野菜室１００に収容された状態（図５）で下段容器１０１が正面側に引き出すための力が下段容器１０１に付与されると、下段容器１０１とともに、下段容器１０１に取り付けられた枠部材１８０及びインナーメンバ１８５の正面側への移動が開始される。この力の付与は、使用者が野菜室扉６（図１参照）を引き出す力のほか、接続部１６８（図３参照）に接続された容器駆動機構により行われる。また、この力の付与は、前記のように移動開始時に一度のみ行われ、その後は、惰性で下段容器１０１が正面側に引き出されることになる。
【００３８】
このとき、スライドレール１７９を構成するボール１８８と、アウターメンバ１８４やインナーメンバ１８５との間に生じる摩擦力は比較的大きなものとなっている。一方で、枠ベアリング１８１と溝１８９の底面との間に生じる摩擦力や、箱ベアリング１８２と枠部材１８０の底面との間に生じる摩擦力は比較的小さい。そのため、インナーメンバ１８５の正面側への移動に伴って生じる比較的大きな摩擦力が、ボール１８８を介して、アウターメンバ１８４にも伝達することになる。これにより、下段容器１０１及びインナーメンバ１８５の移動とともに、アウターメンバ１８４も正面側に移動されることになる。
【００３９】
枠ベアリング１８１が、箱側レール１７８の溝１８９内を正面側に回転しながら移動すると、枠ベアリング１８１は、溝１８９に設けられたストッパ部材１８３に突き当たることになる。これにより、枠ベアリング１８１の回転は停止され、枠ベアリング１８４が備えられたアウターメンバ１８４の移動も停止されることになる。しかし、ボール１８８が回転することでアウターメンバ１８４とは独立して移動可能なインナーメンバ１８５は、アウターメンバ１８４とともに移動していたときに惰性により、引き続き正面側に移動する。
【００４０】
そして、インナーメンバ１８５の正面側への移動に伴って、枠部材１８０及びそれが固定された下段容器１０１も正面側に引き続き移動することになる。このとき、枠部材１８０は、箱ベアリング１８２の上を、箱ベアリング１８２を回転させながら正面側に移動している。そのため、枠部材１８０が正面側の所定の位置まで移動すると、枠部材１８０の背面側下端部に設けられた突起１７６は箱ベアリング１８２に突き当たることになる。これにより、枠部材１８０の移動が停止される。また、枠部材１８０の移動が停止することで、下段容器１０１の移動も停止することになる。この状態が、下段容器１０１が最大限正面側に引き出された状態である。
【００４１】
図８は、図４に示す状態において、下段容器１０１を野菜室１００から引き出したときの様子を示す斜視図である。下段容器１０１が最大限正面側に引き出されたときには、スライドレール１７９を構成するアウターメンバ１８４及びインナーメンバ１８５は最大限正面側に引き出された状態になっている。
【００４２】
図９は、図７のＤ−Ｄ線断面図である。下段容器１０１が最大限正面側に引き出されたときには、前記のように、枠部材１８０の突起１７６は、箱ベアリング１８２に接触している。また、図９では図示していないが、アウターメンバ１８４の枠ベアリング１８１（図５参照）も、ストッパ部材１８３に接触している。
【００４３】
図８及び図９に示すような、下段容器１０１が完全に引き出された状態では、下段容器１０１の荷重は、箱ベアリング１８２及び枠ベアリング１８１の二点で支持されていることになる。しかも、箱ベアリング１８２と枠ベアリング１８１との間には、ストッパ部材１８３の前後方向の長さの分だけ、インナーメンバ１８５が配置されることになる。従って、下段容器１０１からの下向きの荷重は、このストッパ部材１８３の長さの部分により支持されることになる。そのため、箱ベアリング１８２に局所的に大きな荷重がかかることが防止され、下段容器１０１を引き出す際の力を小さなものにすることができる。
【００４４】
そして、下段容器１０１を引き出す際の力を小さなものにすることができるため、フレーム１６１の接続部１６８に接続された容器駆動機構により付与される力の大きさも小さくすることができる。そのため、容器駆動機構を構成するモータ（図示しない）の負荷を低減することができる。また、小さな力で下段容器１０１を正面側に引き出すだめ、下段容器１０１の正面側への開け過ぎを防止することができる。
【００４５】
なお、前記の例では、収納容器は野菜室１００に収容される下段容器１０１等としたが、冷蔵庫１０に収容される収納容器であればどのようなものであってもよい。また、前記の例では、断面積の小さなインナーメンバ１８５が枠部材１８０を介して下段容器１０１の外側面に取り付けられるようにしたが、それとは逆に、断面積の大きなアウターメンバ１８４が下段容器１０１の外側面に取り付けられるようにしてもよい。また、容器駆動機構により下段容器１０１に付与される力は、前記の例では初めの一度のみとしたが、下段容器１０１が移動している間付与し続けてもよい。
【符号の説明】
【００４６】
６  野菜室扉
１０  冷蔵庫
１００  野菜室（貯蔵室）
１０１  下段容器（収納容器）
１２４  内箱
１６１  フレーム
１６８  接続部
１７６  突起
１７８  箱側レール（収納容器引出収容機構、貯蔵室レール）
１７９  スライドレール（収納容器引出収容機構）
１８０  枠部材
１８１  枠ベアリング（収納容器引出収容機構、回転体）
１８２  箱ベアリング
１８３  ストッパ部材（正面側移動制限部材）
１８４  アウターメンバ
１８５  インナーメンバ
１８６  リブ（背面側移動制限部材）
１８８  ボール
１８９  溝
１９０  ガイド壁
【図１】
0006539096.tif 000002
【図２】
0006539096.tif 000003
【図３】
0006539096.tif 000004
【図４】
0006539096.tif 000005
【図５】
0006539096.tif 000006
【図６】
0006539096.tif 000007
【図７】
0006539096.tif 000008
【図８】
0006539096.tif 000009
【図９】
0006539096.tif 000010